(57)【要約】【課題】回路規模を大きくすることなく、誤動作を未然に回避し得るキャリア検出回路及び赤外線リモコン受信機を提供する。【解決手段】本発明のキャリア検出回路１においては、積分回路３の放電時定数は、ノイズ周期と、上記キャリア検出回路１、上記積分回路２、及び上記ヒステリシスコンパレータ回路３とに基づいて設定され、これにより、従来必要であったレベル変更回路を別途設けることが不要となり、回路規模が拡大することを回避できると共に、ノイズによる誤動作を未然に防止することが可能となる。【選択図】  図１
2004282491.tif 000002
【特許請求の範囲】
【請求項１】
積分回路及びヒステリシスコンパレータ回路を備えキャリアを含む信号の復調を行う機器に設けられるキャリア検出回路であって、
上記積分回路の放電時定数は、ノイズ周期と、上記キャリア検出回路、積分回路、及びヒステリシスコンパレータ回路とに基づいて設定されていることを特徴とするキャリア検出回路。
【請求項２】
キャリア検出回路の受信可能デューティ比をＤとし、ノイズ周期をＴｎとし、上記キャリア検出回路の検波器の放電時定数をｔ０とし、上記積分回路の放電時定数をｔ１とすると、Ｔｎ＞（−ｔ０＋ｔ１）／（１−Ｄ）を満足するように上記各放電時定数を設定することを特徴とする請求項１に記載のキャリア検出回路。
【請求項３】
上記検波器の放電時定数ｔ０と上記積分回路の放電時定数ｔ１において、−ｔ０＋ｔ１が２００μｓｅｃ以下であることを特徴とする請求項２に記載のキャリア検出回路。
【請求項４】
上記各放電時定数が可変であることを特徴とする請求項１、２、又は３に記載のキャリア検出回路。
【請求項５】
ゲインコントロールが可能であることを特徴とする請求項１〜４のいずれか１項に記載のキャリア検出回路。
【請求項６】
請求項１〜５のいずれか１項に記載のキャリア検出回路を設けたことを特徴とする赤外線リモコン受信機。
【発明の詳細な説明】
【０００１】
【発明の属する技術分野】
本発明は、キャリアを含む信号の復調器として好適に実施されるキャリア検出回路及び赤外線リモコン受信機に関する。
【０００２】
【従来の技術】
赤外線リモコン受信機の送信信号は、一般に、３０ｋＨｚ〜６０ｋＨｚ程度の決められたキャリアで変調されたＡＳＫ（Ａｍｐｌｉｔｕｄｅ  Ｓｈｉｆｔ  Ｋｅｙｉｎｇ）信号であり、受信チップでは入力された光電流信号をアンプで増幅し、キャリアの周波数にあわせたバンドパスフィルタ（ＢＰＦ）でキャリア成分を取り出し、検波回路でキャリアを検出し、積分回路でキャリアのある時間を積分し、ヒステリシスコンパレータ回路でキャリアの有無を判別してディジタル出力する。
【０００３】
また、家庭用インバータ蛍光灯には３０ｋＨｚ〜６０ｋＨｚのキャリア成分が存在するため、赤外線リモコン受信機の周囲にインバータ蛍光灯が存在する場合、インバータ蛍光灯ノイズ成分を検出して誤動作したり、最悪の場合、送信信号を正確に受信できなかったりといった問題を招来する。
【０００４】
さらに、近年、省エネルギの要望は強く、上述のように赤外線リモコン受信機が誤動作する場合、システム制御を行うマイコンに割り込み信号が入ることになり、マイコンがスリープモード（省エネモード）にならず、低消費電力化の弊害となる。
【０００５】
加えて、赤外線リモコン受信機はコスト削減の要望も強く、従来は外付けチップコンデンサ（０．１μＦ程度）であったキャリア検出回路の積分用コンデンサも、現在では集積回路に内蔵する（１００ｐＦ程度）ことが常識となっている。よって、積分用コンデンサを内蔵したキャリア検出回路で、効果的にＳ／Ｎ分離を行う必要がある。
【０００６】
ここでは、上記の要求を満足するための回路方式について述べる。図３に赤外線リモコン受信機の受信システムのブロック図を示す。一般に、フォトダイオードチップから入力される光電流信号（入力信号電流）Ｉｉｎを、集積化された受信チップで復調して出力し、その出力は電子機器を制御するマイクロコンピュータ等に伝送される。
【０００７】
光電流信号は３０ｋＨｚ〜６０ｋＨｚ程度の決められたキャリアで変調されたＡＳＫ信号であり、受信チップでは入力された光電流信号をアンプ（図中、ＨＡ（ローパスフィルタの機能を有す）、２ｎｄ  Ａｍｐ、３ｒｄ  Ａｍｐ等で示す。）で増幅し、キャリアの周波数にあわせたバンドパスフィルタ（ＢＰＦ）でキャリア成分を取り出し、検波回路でキャリアを検出し、積分回路でキャリアの存在する時間を積分し（出力ｉｎｔ）、ヒステリシスコンパレータ回路でキャリアの有無を判別してディジタル出力（Ｄｏｕｔ）する。図４に各部の波形を示す。
【０００８】
図５に従来例１として、特開２００２−５１０９３号公報（特許文献１）で示すキャリア検出回路１０１を示す。このキャリア検出回路１０１は、検波器１０１ａ及び積分器１０１ｂから構成されており、ＢＰＦ（図示しない）の出力Ｓｉｇからキャリア検出レベルＤｅｔを生成し、積分回路１０２でＢＰＦ出力Ｓｉｇとキャリア検出レベルＤｅｔとを比較し、その比較結果を積分して、ヒステリシスコンパレータ回路（図示しない）に供給する。
【０００９】
図６にキャリア検出回路１０１の動作を説明する波形を示す。図６（ａ）はＢＰＦ出力Ｓｉｇとキャリア検出レベルＤｅｔとを比較しパルス群を検出することを示し、図６（ｂ）は検波器出力Ｄｅｔｔと基準電圧ｖｆを比較し、パルスが検出されている期間（ｔｏｎ）は充電、パルスが検出されない期間（ｔｏｆｆ）は放電し、キャリア検出レベルＤｅｔにフィードバックすることを示し、図６（ｃ）は、図６（ａ）で検出したキャリアを積分し（ｉｎｔ）、ヒステリシスコンパレータ回路（図示しない）でベースバンド成分に復調することを示し、図６（ｄ）は出力波形（Ｄｏｕｔ）を示す。
【００１０】
赤外線リモコン信号は３０ｋＨｚ〜６０ｋＨｚでキャリア変調されたＡＳＫ信号で、１つの送信コードは５０ｍｓｅｃ〜１５０ｍｓｅｃ程度であるため、キャリア検出レベルＤｅｔの時定数としては１００ｍｓｅｃ程度必要である。
【００１１】
このキャリア検出回路１０１では、検波器１０１ａが検出すべきキャリア周波数（３０ｋＨｚ〜６０ｋＨｚ）のパルスをグループ（パルス群）で検出し、そのパルス群が存在する時間を積分器１０１ｂで積分し、積分された出力をキャリア検出レベルＤｅｔとしている。検波器１０１ａはキャリア周波数に対して充分応答できるよう高速で動作しＤｅｔｔを出力する。積分器１０１ｂは、検波器１０１ａの出力Ｄｅｔｔと基準電圧ｖｆとを比較し、コンデンサＣ２に微小電流で充放電することでキャリア検出レベルＤｅｔを出力する。積分器１０１ｂは、ベースバンド成分以上の応答速度（１０ｋＨｚ以下）を備えていればよい（一般に微小電流では高い応答性を確保できない）。
【００１２】
従来例１の構成により、高い応答性と集積可能な容量値Ｃ２（１００ｐＦ程度）で１００ｍｓｅｃ程度の長い時定数を確保することが可能であるキャリア検出回路を提供している。
【００１３】
しかし、従来例１の構成は、放電時定数を超えるような蛍光灯ノイズに対しては誤動作を防止することができるが、放電時定数以内で周期的に変化する蛍光灯ノイズに対しては誤動作を生じるという問題点を有している。
【００１４】
図７に連続的な蛍光灯ノイズが入力されている場合のキャリア検出回路１０１の各部波形を示す。キャリア検出回路１０１は、ＢＰＦ出力Ｓｉｇに対しキャリア検出レベルＤｅｔが上昇していくと、ノイズ入力直後は誤動作するが、キャリア検出レベルＤｅｔが安定すると正常動作に復帰する。
【００１５】
これに対して、実際は、蛍光灯ノイズには商用周波数成分等の他の周波数成分が含まれているので、その他の周波数成分とのうねりが生じており、放電時定数以内で周期的に変化する。
【００１６】
図８（ａ）〜（ｄ）に周期的に変化する蛍光灯ノイズが入力されている場合のキャリア検出回路１０１の各波形を示す。ＢＰＦ出力Ｓｉｇに対し、うねりが存在するためキャリア検出レベルＤｅｔが充分上昇しない。その結果、積分回路出力ｉｎｔは一定レベルで増減を繰り返し、誤動作が継続することとなる（出力常時ＯＮ状態で安定となる）。
【００１７】
図９において、（ａ）は赤外線リモコン送信コードの一例、（ｂ）は正常動作時の出力信号、（ｃ）は周期的に変化する蛍光灯ノイズが入力されている場合の出力信号をそれぞれ示す。蛍光灯ノイズが入力されている場合でも、ある程度送信信号が大きければデータ部は復調可能であるが、ヘッダ部（１ｓｔパルス）は認識できず受信不可能となる（（ｃ）の状態）。
【００１８】
また、マイクロコンピュータでは数フレームで送信信号を認識する場合があるが、送信コード間（休止期間）に誤動作がある場合も、ヘッダ部（１ｓｔパルス）は認識できず受信不可能となる。
【００１９】
ここで、図１０に従来例２として、特開２００２−１９９４７８号公報（特許文献２）で示すキャリア検出回路を示す。なお、図５と同じ機能を有する部材には同じ参照番号を付記し、詳細な説明を省略する。
【００２０】
従来例１のキャリア検出回路では放電時定数以内（２００μｓｅｃ〜３００μｓｅｃ程度）で周期的に変化するインバータ蛍光灯ノイズに対して誤動作する場合がある。そこで、従来例２においては、ヒステリシスコンパレータ回路１０３の出力でキャリアの有無を検出し、キャリア検出回路１０１にフィードバックするレベル変更回路を設けることを特徴としている。
【００２１】
図１１（ａ）〜（ｄ）に周期的に変化する蛍光灯ノイズが入力されている場合のキャリア検出回路波形を示す。ヒステリシスコンパレータ回路１０３の出力でキャリアを検出している期間は、キャリア検出レベルを上昇させることによって誤動作が抑制され、出力が常時ＯＮ状態とはならない。しかし、ヒステリシスコンパレータ回路１０３の出力でキャリアの有無を検出しているため、本質的に誤動作を完全に無くすことはできない。
【００２２】
また、ヒステリシスコンパレータ回路１０３の出力は赤外線リモコン受信機の出力端子となっており、使用条件によっては、図示しないマイクロコンピュータ（以下、単に、マイコンと称す。）に直結せずに出力を反転して使用する場合がある。この場合、出力端子のＤＣバイアスが変動してレベル変更回路が常時動作してしまい、キャリア検出レベルが上昇し続け、キャリア検出回路１０１が正常に動作せずキャリアが検出できない（出力常時ＯＦＦとなる。図９（ｄ）に示す状態）。
【００２３】
図１２に赤外線リモコン受信機、出力端子使用例を示す。図１２において、（ａ）はマイコンに直結する場合、（ｂ）は出力を反転して使用する場合をそれぞれ示している。
【００２４】
さらに、赤外線リモコン受信機は、価格競争が激しく、レベル変更回路を追加する分チップサイズが増加し、コストアップを招来することになる。
【００２５】
【特許文献１】
特開２００２−５１０９３号公報（公開日：平成１４年２月１５日）
【００２６】
【特許文献２】
特開２００２−１９９４７８号公報（公開日：平成１４年７月１２日）
【００２７】
【発明が解決しようとする課題】
しかしながら、上記従来の技術は、次のような問題点を有している。
【００２８】
すなわち、上記従来例１のキャリア検出回路は、放電時定数以内で周期的に変化するインバータ蛍光灯ノイズに対して誤動作してしまう。
【００２９】
また、上記従来例２のキャリア検出回路は、上記従来例１のキャリア検出回路の問題点を解決するために、ヒステリシスコンパレータ回路１０３の出力でキャリアの有無を検出しキャリア検出回路１０１にフィードバックするレベル変更回路を設けることを特徴としているが、（ａ）出力端子からのフィードバックのため、完全に誤動作が無くならない、（ｂ）出力端子の使用条件によっては、キャリア検出回路が正常に動作しない、及び（ｃ）レベル変更回路の分、回路規模が大きくなるという問題点を有している。
【００３０】
本発明は、上記従来の問題点に鑑みなされたものであって、その目的は、回路規模を大きくすることなく、誤動作を未然に回避し得るキャリア検出回路及び赤外線リモコン受信機を提供することにある。
【００３１】
【課題を解決するための手段】
本発明のキャリア検出回路は、上記課題を解決するために、積分回路及びヒステリシスコンパレータ回路を備えキャリアを含む信号の復調を行う機器に設けられるキャリア検出回路であって、次の措置を講じたことを特徴としている。
【００３２】
すなわち、上記キャリア検出回路においては、上記積分回路の放電時定数は、ノイズ周期と、上記キャリア検出回路、積分回路、及びヒステリシスコンパレータ回路とに基づいて設定されていることを特徴としている。
【００３３】
従来においては、検波器は、キャリア周波数に対して充分応答できるよう高速で動作すると共に、積分器は、ベースバンド成分以上の応答速度（１０ｋＨｚ以下）を備えていることが要求され、この要求を満たすように検波器及び積分器が構成されていた。
【００３４】
上記従来の構成において誤動作を低減するために、ヒステリシスコンパレータ回路の出力でキャリアの有無を検出し、キャリア検出回路にフィードバックするレベル変更回路が別途設けられていた。このため、出力端子からのフィードバックのために完全に誤動作が無くならない、出力端子の使用条件によっては、キャリア検出回路が正常に動作しない、及びレベル変更回路の分、回路規模が大きくなるという問題点を有していた。
【００３５】
これに対して、上記の発明によれば、ノイズ周期と、キャリア検出回路、積分回路、及びヒステリシスコンパレータ回路とに基づいて、積分回路の放電時定数が設定されるので、上記のレベル変更回路を別途設けることが不要となり、従来技術の上記問題点が回避され、その結果、回路規模が拡大することを回避できると共に、ノイズによる誤動作を未然に防止することが可能となる。
【００３６】
上記キャリア検出回路において、キャリア検出回路の受信可能デューティ比をＤとし、ノイズ周期をＴｎとし、上記キャリア検出回路の検波器の放電時定数をｔ０とし、上記積分回路の放電時定数をｔ１とすると、Ｔｎ＞（−ｔ０＋ｔ１）／（１−Ｄ）を満足するように上記各放電時定数を設定することが好ましい。
【００３７】
パルスが検出されている期間（充電期間）をｔｏｎとし、パルスが検出されない期間をｔｏｆｆとすると、Ｄ＝ｔｏｎ／ｔｏｎ＋ｔｏｆｆ  及びＴｎ×Ｄ＝ｔｏｎ  より、ｔｏｎ＋ｔｏｆｆ＝Ｔｎと表される。ここで、ｔ０＋ｔｏｆｆ＞ｔ１を満たせば誤動作を低減できる。すなわち、Ｔｎ＞（−ｔ０＋ｔ１）／（１−Ｄ）を満たすように、各放電時定数を設定すれば、誤動作を未然に回避できる。
【００３８】
上記検波器の放電時定数ｔ０と上記積分回路の放電時定数ｔ１において、−ｔ０＋ｔ１が２００μｓｅｃ以下であることが好ましい。
【００３９】
インバータ蛍光灯ノイズで周期の短いものは、２００μｓｅｃ〜３００μｓｅｃ程度であるため、上記検波器の放電時定数（−ｔ０）と上記積分回路の放電時定数ｔ１との和を２００μｓｅｃ以下に設定することによって、効果的に、周期の短いノイズに対する誤動作を回避できる。
【００４０】
上記キャリア検出回路において、上記各放電時定数が可変であることが好ましい。この場合、ノイズ周期に応じて各放電時定数が可変できるので、より確実に誤動作を回避できる。
【００４１】
上記キャリア検出回路はゲインコントロールが可能であることが好ましい。この場合、周期の短いノイズに対しても容易にゲインコントロールを行うことが可能となり、Ｓ／Ｎ特性を確実に向上させることが可能となる。
【００４２】
上記キャリア検出回路を用いて赤外線リモコン受信機を構成することが好ましい。
【００４３】
ヒステリシスコンパレータ回路の出力は赤外線リモコン受信機の出力端子となっており、使用条件によっては、マイクロコンピュータに直結せずに出力を反転して使用する場合がある。この場合、従来技術においては、出力端子のＤＣバイアスが変動してレベル変更回路が常時動作してしまい、キャリア検出レベルが上昇し続け、キャリア検出回路が正常に動作せずキャリアが検出できなくなってしまう。
【００４４】
これに対して、上記キャリア検出回路を用いて赤外線リモコン受信機を構成すると、従来必要であったレベル変更回路が不要となるので、キャリア検出回路が正常に動作し、キャリアの検出を高精度に行える。しかも、マイクロコンピュータに誤信号（エラー信号）が送られることがなくなり、この結果、省エネルギのシステムの実現が可能となる。
【００４５】
【発明の実施の形態】
本発明の実施の一形態について図１及び図２に基づいて説明すれば、以下のとおりである。なお、図１０と同じ機能を有する部材には同じ参照番号を付記する。
【００４６】
図１に本発明の実施の形態に係るキャリア検出回路１を備えた赤外線リモコン受信機の構成例を示す回路図である。本実施の形態においては、後述するように、積分回路２の放電時定数は、上記キャリア検出回路１、上記積分回路２、及びヒステリシスコンパレータ回路３を含めて設定することを特徴としている。
【００４７】
上記のキャリア検出回路１は、図１に示すように、検波器１ａ及び積分器１ｂから構成されており、ＢＰＦ（図示しない）の出力Ｓｉｇから検波器１ａ及び積分器１ｂを介してキャリア検出レベルＤｅｔを生成し、積分回路２に送る。積分回路２では、ＢＰＦ出力Ｓｉｇとキャリア検出レベルＤｅｔとが比較され、その比較結果が積分される。積分回路２による積分結果がヒステリシスコンパレータ回路３に送られる。
【００４８】
上記積分器１ｂにおいては、上記検波器１ａの出力Ｄｅｔｔと、基準電圧ｖｆとが比較され、パルスが検出されている期間（ｔｏｎ）は充電、パルスが検出されない期間（ｔｏｆｆ）は放電がキャパシタＣ２に対して行われる。上記積分回路２において、検出したキャリアが積分され（ｉｎｔ）、ヒステリシスコンパレータ回路３においてベースバンド成分に復調される。
【００４９】
上記のキャリア検出回路１では、上記検波器１ａは、ＢＰＦ出力Ｓｉｇとキャリア検出レベルＤｅｔとを比較し、検出すべきキャリア周波数（３０ｋＨｚ〜６０ｋＨｚ）のパルスをグループ（パルス群）で検出し（上記検波器１ａの出力Ｄｅｔｔ）、そのパルス群が存在する時間を上記積分器１ｂで積分し、積分された出力をキャリア検出レベルＤｅｔとしている。
【００５０】
上記検波器１ａは、キャリア周波数に対して充分応答できるように高速で動作し、上記検波器１ａの出力Ｄｅｔｔを出力する。上記積分器１ｂは、上記検波器１ａの出力Ｄｅｔｔと上記基準電圧ｖｆとを比較し、コンデンサＣ２に対して微小電流で充放電することによって、上記キャリア検出レベルＤｅｔを出力する。上記積分器１ｂは、ベースバンド成分以上の応答速度（１０ｋＨｚ以下）を備えていればよい。
【００５１】
ところで、前述の従来技術においては、検波器は、キャリア周波数に対して充分応答できるよう高速で動作すると共に、積分器は、ベースバンド成分以上の応答速度を備えていることが要求され、この要求を満たすように検波器及び積分器が構成されていた。この構成において誤動作を低減するために、ヒステリシスコンパレータ回路の出力でキャリアの有無を検出し、キャリア検出回路にフィードバックするレベル変更回路が別途設けられていた。
【００５２】
しかしながら、上記従来技術は、（ａ）出力端子からのフィードバックのため、完全に誤動作が無くならない、（ｂ）出力端子の使用条件によっては、キャリア検出回路が正常に動作しない、及び（ｃ）レベル変更回路の分、回路規模が大きくなる等の問題点を有していた。
【００５３】
本願発明者は、上記従来技術の問題点を解決すべく、鋭意検討し、次の事項を見出した。すなわち、上記積分回路２の放電時定数ｔ１は、該積分回路２の放電電流Ｉ１（図示しない）、該積分回路２を構成するコンデンサＣ３、及び上記ヒステリシスコンパレータ回路３のスレッシュホールド（Ｌｏ側の閾値）に応じて変化する。また、上記放電電流Ｉ１は、上記キャリア検出回路１の出力信号に応じて変化する。
【００５４】
そこで、本発明においては、ノイズ周期と、上記キャリア検出回路１、上記積分回路２、及び上記ヒステリシスコンパレータ回路３とに基づいて積分回路２の放電時定数ｔ１を設定した。
【００５５】
これにより、従来必要であった上記のレベル変更回路を別途設けることが不要となり、上記（ａ）〜（ｃ）の問題点が回避され、回路規模が拡大することを確実に回避できると共に、ノイズによる誤動作を未然に防止することが可能となる。
【００５６】
ここで、ノイズ周期と、上記キャリア検出回路１、上記積分回路２、及び上記ヒステリシスコンパレータ回路３とに基づいて上記積分回路２の放電時定数ｔ１を設定した場合について以下に説明する。
【００５７】
図２（ａ）〜（ｄ）は、周期的に変化する蛍光灯ノイズが入力されている場合の本実施の形態に係るキャリア検出回路１の波形図を示す。
【００５８】
本実施の形態においては、キャリア検出回路１の放電時定数以内で周期的に変化するノイズ（周期：Ｔｎ）が入力されている場合、上記検波器１ａの放電時定数ｔ０を大きく設定すると共に、上記積分回路２の放電時定数ｔ１を小さく設定することによって、誤動作を低減できる（出力が常時ＯＮとならない）。
【００５９】
本実施の形態においては、たとえば、上記検波器１ａの放電時定数ｔ０を１００μｓｅｃとし、上記積分回路２の放電時定数ｔ１を２００μｓｅｃとし、上記キャリア検出回路１の受信可能デューティ比Ｄを５０％とする（このとき、（−ｔ０＋ｔ１）／（１−Ｄ）＝２００μｓｅｃとなる。）ことによって、誤動作の確実な低減化を図っている。なお、上記キャリア検出回路１の受信可能デューティ比Ｄは、当該デューティ比までの送信コードが受信できることを表している。
【００６０】
なお、上記上記積分回路２の放電時定数ｔ１のみを小さくすることによっても誤動作の低減（出力が常時Ｌｏとならない）は可能であるが、放電時定数ｔ１を調整すると、出力パルス幅が狭くなったり、受信感度が低下したりする等の問題を招来し、現実的な解決策とはならない。
【００６１】
キャリア検出レベルＤｅｔは、リモコン送信コードが受信可能なレベルとなるように、上記積分器１ｂの充放電電流比と上記検波器１ａの放電時間とに基づいて設定されている。リモコンのキャリア検出回路１の受信可能Ｄｕｔｙ比（＝ｔｏｎ／（ｔｏｎ＋ｔｏｆｆ））は一般に数％〜６０％であるため、キャリア検出回路１の受信可能Ｄｕｔｙ比に応じて時定数を設定することによってＳ／Ｎ分離が容易になる。
【００６２】
例えば、キャリア検出回路１の受信可能Ｄｕｔｙ比５０％とすると、キャリア検出レベルＤｅｔは、図２のｔｏｎ  ／  （ｔｏｎ  ＋  ｔｏｆｆ）  ＝  ０．５（５０％）のレベルまで上昇することとなる。一方、キャリア検出回路１の受信可能Ｄｕｔｙ比４０％とすると、キャリア検出レベルＤｅｔは、ｔｏｎ  ／  （ｔｏｎ  ＋  ｔｏｆｆ）  ＝  ０．４（４０％）のレベルまで上昇し、５０％よりキャリア検出レベルＤｅｔが上昇するため、誤動作を低減できる。
【００６３】
周期の短いノイズに対しては、上記検波器１ａの放電時定数ｔ０を大きくすることで、キャリア検出レベルが効果的に上昇し、周期の短いノイズに対しても誤動作を完全に無くすことが可能である。
【００６４】
ここで、Ｔｎをノイズ周期、ｔ０を検波器１ａの放電時定数、ｔ１を積分回路２の放電時定数、Ｄｕｔｙ比をキャリア検出回路１の受信可能Ｄｕｔｙ比［％］とすると、Ｔｎ  ×  Ｄｕｔｙ  ＝ｔｏｎ  ゆえ、ｔｏｎ  ＋  ｔｏｆｆ  ＝  Ｔｎと表される。ここで、ｔ０  ＋  ｔｏｆｆ  ＞  ｔ１  を満たせば誤動作を低減できる。すなわち、Ｔｎ  ＞  （  −  ｔ０  ＋  ｔ１  ）  ／  （  １  −  Ｄｕｔｙ）を満たすように、各放電時定数を設定すれば、誤動作を未然に回避できる。
【００６５】
また、上記放電時定数を可変とし、ノイズ周期Ｔｎに応じた放電時定数とすることによって、より効果的に誤動作を回避することが可能である。
【００６６】
また、インバータ蛍光灯ノイズで周期の短いものは、２００μｓｅｃ〜３００μｓｅｃ程度であるため、検波器１ａの放電時定数（−ｔ０）と積分回路２の放電時定数ｔ１との和を２００μｓｅｃ以下に設定することで効果的に誤動作を回避できる。
【００６７】
本キャリア検出回路１を用いてゲインコントロールすることによって、周期の短いノイズに対しても容易にゲインコントロールを行うことが可能となり、Ｓ／Ｎ特性が確実に向上する。
【００６８】
また、本キャリア検出回路１を用いた赤外線リモコン受信機とすることによって、誤動作が未然に回避されるので、マイコンに誤信号（エラー信号）が送られることがなくなり、この結果、省エネルギのシステムの実現が可能となる。
【００６９】
これは、次の理由による。すなわち、ヒステリシスコンパレータ回路３の出力は赤外線リモコン受信機の出力端子となっており、使用条件によっては、マイクロコンピュータに直結せずに出力を反転して使用する場合がある。この場合、従来技術においては、出力端子のＤＣバイアスが変動してレベル変更回路が常時動作してしまい、キャリア検出レベルが上昇し続け、キャリア検出回路が正常に動作せずキャリアが検出できなくなってしまう。
【００７０】
これに対して、上記キャリア検出回路１を用いて赤外線リモコン受信機を構成すると、従来必要であったレベル変更回路が不要となるので、キャリア検出回路１が正常に動作し、キャリアの検出を高精度に行える。しかも、マイクロコンピュータに誤信号（エラー信号）が送られることがなくなり、この結果、省エネルギのシステムの実現が可能となる。
【００７１】
ところで、赤外線リモコン受信機によっては、積分器１ｂによる積分を２重に行う場合があるが、その場合も、前述の場合と同様に、Ｔｎ  ＞  （  −  ｔ０  ＋  ｔ１  ＋  ｔ２  ）  ／  （  １  −  Ｄｕｔｙ）を満足するように、各放電時定数を設定することによって、誤動作を未然に回避できる。なお、上記不等式においては、Ｔｎをノイズ周期、ｔ０を検波器１ａの放電時定数、ｔ１を第１積分器の放電時定数、及びｔ２を第２積分器の放電時定数としている。
【００７２】
なお、上記説明においては、キャリア検出回路が設けられた赤外線リモコン受信機を例に挙げて説明したが、本発明は、これに限定されるものではなく、キャリアを含む信号の復調を行う機器に適用可能である。
【００７３】
また、本発明は、上述した実施形態に限定されるものではなく、請求項に示した範囲で種々の変更が可能であり、これらについても本発明の技術的手段に含まれる。
【００７４】
【発明の効果】
本発明のキャリア検出回路は、以上のように、キャリア検出回路において、積分回路の放電時定数は、ノイズ周期と、上記キャリア検出回路、上記積分回路、及び上記ヒステリシスコンパレータ回路とに基づいて設定されていることを特徴としている。
【００７５】
上記の発明によれば、ノイズ周期と、キャリア検出回路、積分回路、及びヒステリシスコンパレータ回路回路とに基づいて、積分回路の放電時定数が設定されるので、上記のレベル変更回路を別途設けることが不要となり、回路規模が拡大することを回避できると共に、ノイズによる誤動作を未然に防止することが可能となるという効果を併せて奏する。
【００７６】
上記キャリア検出回路において、キャリア検出回路の受信可能デューティ比をＤとし、ノイズ周期をＴｎとし、上記キャリア検出回路の検波器の放電時定数をｔ０とし、上記積分回路の放電時定数をｔ１とすると、Ｔｎ＞（−ｔ０＋ｔ１）／（１−Ｄ）を満足するように上記各放電時定数を設定することが好ましい。
【００７７】
パルスが検出されている期間（充電期間）をｔｏｎとし、パルスが検出されない期間をｔｏｆｆとすると、Ｄ＝ｔｏｎ／ｔｏｎ＋ｔｏｆｆ  及びＴｎ×Ｄ＝ｔｏｎ  より、ｔｏｎ＋ｔｏｆｆ＝Ｔｎと表される。ここで、ｔ０＋ｔｏｆｆ＞ｔ１を満たせば誤動作を低減できる。すなわち、Ｔｎ＞（−ｔ０＋ｔ１）／（１−Ｄ）を満たすように、各放電時定数を設定すれば、誤動作を未然に回避できるという効果を併せて奏する。
【００７８】
上記検波器の放電時定数ｔ０と上記積分回路の放電時定数ｔ１において、−ｔ０＋ｔ１が２００μｓｅｃ以下であることが好ましい。
【００７９】
インバータ蛍光灯ノイズで周期の短いものは、２００μｓｅｃ〜３００μｓｅｃ程度であるため、上記検波器の放電時定数（−ｔ０）と上記積分回路の放電時定数ｔ１との和を２００μｓｅｃ以下に設定することによって、効果的に、周期の短いノイズに対する誤動作を回避できるという効果を併せて奏する。
【００８０】
上記キャリア検出回路において、上記各放電時定数が可変であることが好ましい。この場合、ノイズ周期に応じて各放電時定数が可変できるので、より確実に誤動作を回避できるという効果を併せて奏する。
【００８１】
上記キャリア検出回路はゲインコントロールが可能であることが好ましい。この場合、周期の短いノイズに対しても容易にゲインコントロールを行うことが可能となり、Ｓ／Ｎ特性を確実に向上させることが可能となるという効果を併せて奏する。
【００８２】
上記キャリア検出回路を用いて赤外線リモコン受信機を構成することが好ましい。
【００８３】
ヒステリシスコンパレータ回路の出力は赤外線リモコン受信機の出力端子となっており、使用条件によっては、マイクロコンピュータに直結せずに出力を反転して使用する場合がある。この場合、従来技術においては、出力端子のＤＣバイアスが変動してレベル変更回路が常時動作してしまい、キャリア検出レベルが上昇し続け、キャリア検出回路が正常に動作せずキャリアが検出できなくなってしまう。
【００８４】
これに対して、上記キャリア検出回路を用いて赤外線リモコン受信機を構成すると、従来必要であったレベル変更回路が不要となるので、キャリア検出回路が正常に動作し、キャリアの検出を高精度に行える。しかも、マイクロコンピュータに誤信号（エラー信号）が送られることがなくなり、この結果、省エネルギのシステムの実現が可能となるという効果を併せて奏する。
【図面の簡単な説明】
【図１】本発明に係るキャリア検出回路を備えた赤外線リモコン受信機の構成例を示す回路図である。
【図２】周期的に変化する蛍光灯ノイズが入力されている場合の上記キャリア検出回路の動作を説明する波形図である。
【図３】従来の赤外線リモコン受信機の受信チップの構成を示すブロック図である。
【図４】上記受信チップにおける要部の波形を示す波形図である。
【図５】従来のキャリア検出回路を説明する回路図である。
【図６】図５のキャリア検出回路の動作を説明する波形図である。
【図７】連続的な蛍光灯ノイズが入力されている場合における図５のキャリア検出回路の動作を説明する波形図である。
【図８】周期的に変化する蛍光灯ノイズが入力されている場合における図５のキャリア検出回路の動作を説明する波形図である。
【図９】赤外線リモコン送信コード及び受信コードの例を示す波形図である。
【図１０】従来の他のキャリア検出回路を説明する回路図である。
【図１１】周期的に変化する蛍光灯ノイズが入力されている場合における図１０のキャリア検出回路の動作を説明する波形図である。
【図１２】赤外線リモコン受信機の出力端子使用例を説明する説明図である。
【符号の説明】
１    キャリア検出回路
１ａ  検波器
１ｂ  積分器
２    積分回路
３    ヒステリシスコンパレータ回路
【図１】
2004282491.tif 000003
【図２】
2004282491.tif 000004
【図３】
2004282491.tif 000005
【図４】
2004282491.tif 000006
【図５】
2004282491.tif 000007
【図６】
2004282491.tif 000008
【図７】
2004282491.tif 000009
【図８】
2004282491.tif 000010
【図９】
2004282491.tif 000011
【図１０】
2004282491.tif 000012
【図１１】
2004282491.tif 000013
【図１２】
2004282491.tif 000014